(57)【要約】【課題】  所定成分の配合割合を少なくしながら、毛髪の調整力を高めることを可能とする。【解決手段】  所定成分を配合し毛髪を調整するための毛髪調整剤において、界面活性効果のあるアルカリ性の水を混入したことを特徴とする。従って、例えば、チオグリコール酸やモノエタノールアミン等の成分の配合割合を少なくしても、前記水の界面活性効果によって毛髪調整剤であるパーマ用第１剤の毛髪への浸透、還元作用を高めることができる。このため、チオグリコール酸やモノエタノールアミン等の成分の配合割合を少なくして毛髪へのダメージを抑制しながら、還元作用等を高めたことにより、有効なパーマネント処理を行うことができる。【選択図】      図３
2005029530.tif 000002
【特許請求の範囲】
【請求項１】
所定成分を配合し毛髪を調整するための毛髪調整剤において、
界面活性効果のあるアルカリ性の水を混入したことを特徴とする毛髪調整剤。
【請求項２】
請求項１記載の毛髪調整剤であって、
前記水は、ナトリウムと炭酸水素とカルシウムとカリウムとを含有していることを特徴とする毛髪調整剤。
【請求項３】
請求項２記載の毛髪調整剤であって、
前記ナトリウムは１００ｍｌあたり５．２９ｍｇの割合で、
前記炭酸水素は１００ｍｌあたり５．８ｍｇの割合で、
前記カルシウムは１００ｍｌあたり０．０５ｍｇの割合で、
前記カリウムは１００ｍｌあたり０．０３ｍｇの割合で前記水に含有されていることを特徴とする毛髪調整剤。
【請求項４】
請求項１〜３のいずれかに記載の毛髪調整剤であって、
前記水は、ＰＨ値が７．５〜９．９の範囲内であることを特徴とする毛髪調整剤。
【請求項５】
請求項１〜４のいずれかに記載の毛髪調整剤であって、
パーマ用第１剤、毛髪洗浄剤、トリートメント剤、毛髪染色剤、整髪料のいずれかであることを特徴とする毛髪調整剤。
【発明の詳細な説明】
【技術分野】
【０００１】
本発明は、パーマ用第１剤、毛髪洗浄剤、トリートメント剤、毛髪染色剤、整髪料等の毛髪を調整するための毛髪調整剤に関する。
【背景技術】
【０００２】
従来の毛髪調整剤としては、例えば、毛髪にストレートパーマ又はパーマネントウェーブをかけるために供するパーマ用第１剤がある。このパーマ用第１剤は、例えば、毛髪用還元剤を主成分とし、その溶液に間充物質と共にセラミドを含有させパーマ溶剤として用いられる。毛髪の調整であるパーマネント処理を行うときには、溶液を毛髪に塗布し、毛髪用還元剤の力を借りてセラミド等を毛髪内に効果的に取り込み、有効なパーマ処理を実現させるようにしたものである。
【０００３】
ところで、前記毛髪用還元剤は、チオグリコール酸、システィン、モノエタノールアミン等の配合によって、毛髪の結合組織であるシスチン結合、水素結合、塩結合を切断するものであり、毛髪用還元剤の力を強くしてハードタイプとすればするほど、シスチン結合等をより確実に切断することができる。毛髪用還元剤の力は、配合するチオグリコール酸、システィン、モノエタノールアミン等の量の調整によってハードタイプ、ソフトタイプなどその強弱が調整される。この調整は、髪の太い、細い、髪のダメージ状態、その日の天候状態などに応じて調整することになる。そして、前記チオグリコール酸等の配合割合を多くすることによってハードタイプとし、毛髪用還元剤の力を強くすればセラミド等を毛髪内により効果的に取り込んでパーマ処理を行わせることが可能になる。
【０００４】
しかしながら、前記のようにチオグリコール酸等の配合割合を多くすることによって毛髪用還元剤の力を強くすればするほど、毛髪のダメージが大きくなるという問題がある（例えば、特許文献１参照。）。
【０００５】
【特許文献１】特開２００１−７２５５７号公報
【発明の開示】
【発明が解決しようとする課題】
【０００６】
解決しようとする課題は、所定成分の配合割合を少なくすると、毛髪の調整力を高めることができない点にある。
【課題を解決するための手段】
【０００７】
請求項１の発明は、所定成分を配合され毛髪を調整するための毛髪調整剤において、界面活性効果のあるアルカリ性の水を混入したことを特徴とする。
【０００８】
請求項２の発明は、請求項１記載の毛髪調整剤であって、前記水は、ナトリウムと炭酸水素とカルシウムとカリウムとを含有していることを特徴とする。
【０００９】
請求項３の発明は、請求項２記載の毛髪調整剤であって、前記ナトリウムは１００ｍｌあたり５．２９ｍｇの割合で、前記炭酸水素は１００ｍｌあたり５．８ｍｇの割合で、前記カルシウムは１００ｍｌあたり０．０５ｍｇの割合で、前記カリウムは１００ｍｌあたり０．０３ｍｇの割合で前記水に含有されていることを特徴とする。
【００１０】
請求項４の発明は、請求項１〜３のいずれかに記載の毛髪調整剤であって、前記水は、ＰＨ値が７．５〜９．９の範囲内であることを特徴とする。
【００１１】
請求項５の発明は、請求項１〜４のいずれかに記載の毛髪調整剤であって、パーマ用第１剤、毛髪洗浄剤、トリートメント剤、毛髪染色剤、整髪料のいずれかであることを特徴とする。
【発明の効果】
【００１２】
請求項１の発明では、界面活性効果のあるアルカリ性の水が混入されているため、所定成分の配合割合を少なくしても、前記水の界面活性効果によって毛髪の洗浄作用や所定成分の毛髪への浸透作用等を高めることができ、毛髪の調整力を高めることができる。
【００１３】
請求項２の発明では、請求項１の発明の効果に加え、水がナトリウムと炭酸水素とカルシウムとカリウムとを含有しているため、その界面活性効果をより確実に得ることができ、毛髪の洗浄作用や所定成分の毛髪への浸透作用等をより高めることができ、より毛髪の調整力を高めることができる。
【００１４】
請求項３の発明では、請求項２の発明の効果に加え、前記ナトリウムは１００ｍｌあたり５．２９ｍｇの割合で、前記炭酸水素は１００ｍｌあたり５．８ｍｇの割合で、前記カルシウムは１００ｍｌあたり０．０５ｍｇの割合で、前記カリウムは１００ｍｌあたり０．０３ｍｇの割合で前記水に含有されているため、前記水の界面活性効果をより確実に得ることができ、毛髪の洗浄作用や所定成分の毛髪への浸透作用をより高めることができ、より毛髪の調整力を高めることができる。
【００１５】
請求項４の発明では、請求項１〜３のいずれかの発明の効果に加え、前記水はＰＨ値が７．５〜９．９の範囲内であるため、界面活性効果をより確実に得ることができ、毛髪の洗浄作用や所定成分の毛髪への浸透作用等をより高めることができ、より毛髪の調整力を高めることができる。
【００１６】
請求項５の発明では、請求項１〜４のいずれかに発明の効果に加え、パーマ用第１剤、毛髪洗浄剤、トリートメント剤、毛髪染色剤、整髪料のいずれかである。
【００１７】
従って、パーマ用第１剤である場合には、所定成分の配合割合を少なくして、毛髪へのダメージを大幅に抑制しながら、温泉水の界面活性効果による浸透性向上、還元力向上等によってパーマネント処理を確実に行うことができる。
【００１８】
また、毛髪洗浄剤である場合には、所定成分の配合割合を少なくして毛髪のダメージを抑制しながら、温泉水の界面活性効果による洗浄性向上等によって毛髪の洗浄を確実に行うことができる。
【００１９】
また、トリートメント剤である場合には、所定成分の配合割合を少なくしながら、温泉水の界面活性効果による浸透性向上等によって損傷毛の修復等を確実に行うことができる。
【００２０】
また、毛髪染色剤である場合には、所定成分の配合割合を少なくして毛髪へのダメージを大幅に抑制しながら、温泉水の界面活性効果による浸透性向上等によって、毛髪の染色を確実に行うことができる。
【００２１】
また、整髪料である場合には、所定成分の配合割合を少なくしながら、温泉水の界面活性効果による整髪性及び整髪状態の保持力向上等によって、整髪を確実に行うことができる。
【発明を実施するための最良の形態】
【００２２】
所定成分の配合割合を少なくしながら毛髪の調整力を高めるという目的を、毛髪調整剤に温泉水を混入することで実現した。
【実施例１】
【００２３】
本発明の実施例１では、毛髪調整剤としてパーマ用第１剤が用いられている。すなわち、本実施例の毛髪調整剤は、所定成分を配合して毛髪にパーマネント処理を行う時に前記毛髪に塗布して該毛髪の調整である毛髪の結合組織を切断するためのパーマ用第１剤において、界面活性効果のあるアルカリ性の水としての温泉水を混入したものである。
【００２４】
ここで、前記毛髪の結合組織は、例えば図１のようになっている。図１は、毛髪の結合組織を示す模式図である。この図１のように、毛髪１の結合組織は、主にシスチン結合３、水素結合５、塩結合（イオン結合）７からなっている。
【００２５】
前記シスチン結合のシスチン（Ｓ）とは、硫黄を含んだ蛋白質の一種で、シスチン相互が結びついたものであり、最も結合力が強い。
【００２６】
前記水素結合５は、水素Ｈ、窒素Ｎ、炭素Ｃ、酸素Ｏが引き合って緩く結びついたものである。実際にはＮＨとＣＯの分子相互が引き合うという形で結合が行われている。
【００２７】
前記塩結合（イオン結合）７は、アミノ基（ＮＨ３＋）と、カルボキシル基（ＣＯＯ−）あるいはスルホン基（ＳＯ３−）というプラスイオンとマイナスイオンとが結びついたものである。
【００２８】
以上、３つの主な結合によって毛髪１の結合組織はなっている。毛髪１にパーマネント処理を行うときには、化学反応によって前記結合組織３，５，７を一度切り離す必要がある。そして、この状態で、ロッドを巻きウェーブをつけたり、アイロンによってストレートに伸ばしたあと再結合する。但し、塩結合（イオン結合）７は、結合力が弱いため、水などによっても切断される。
【００２９】
従って、前記パーマ用第１剤は、前記シスチン結合３を始めとする毛髪の主な３つの結合組織を切断するために用いられ（還元作用）、特にシスチン結合を切断することを主な役割としている。
【００３０】
前記パーマ用第１剤は、主に純水が使用される還元水に所定成分を配合し、上記のように温泉水を混入することにより生成され、ＰＨ９．０〜９．２程度となっている。前記所定成分としては、主な有効成分としてシスチン結合を切断するチオグリコール酸、システィン、アルカリ剤として髪をより膨潤にさせるため塩結合に作用し、有効成分の働きを助けるアンモニア、モノエタノールアミン、アルギニンが用いられている。
【００３１】
前記チオグリコール酸は、単独でのＰＨは酸性であり、アルカリ剤と組み合わせることにより中和された塩類となり、還元剤としての効果を持つ。還元力、膨潤力とも強めである。
【００３２】
前記システィンは、髪にあるアミノ酸の一種であることから、ダメージ部分に作用し、ソフトなウェーブ効果を出す。還元力、膨潤力とも弱めである。
【００３３】
前記アルカリ剤のアンモニアは、揮発性が高く、酸化が進むにつれ還元力は弱くなる。比較的パーマのかかりやすい軟毛向きとして配合される。
【００３４】
前記モノエタノールアミンは、不揮発性で、残留性が高く、酸化してもＰＨが変わらない。比較的パーマのかかりにくい健康毛向きとして配合割合が調整される。
【００３５】
前記アルギニンは、アルカリのアミノ酸の一種で、アンモニア、モノエタノールアミンと比べるとアルカリ剤としての効力は弱いが、髪と同じ成分なので残留しても支障を来さないものとして配合される。
【００３６】
そのほか添加剤として、カチオン化ポリマーやシルクＰＰＴ、油分等、手触りをアップするためのものが添加されることになる。
【００３７】
前記温泉水は、図３のように、弱アルカリ性以上であり、例えば、ＰＨ値が７．５〜９．９程度となっている。ただし、温泉水のＰＨ値は、任意であり混入量等との関係で前記パーマ用第１剤をＰＨ９．０〜９．２程度に維持できればよい。この温泉水は、５〜８０重量％の割合で前記パーマ用第１剤に混入されている。また、温泉水は、ナトリウムと炭酸水素とカルシウムとカリウムとを含有している。前記ナトリウムは１００ｍｌあたり５．２９ｍｇの割合、前記炭酸水素は１００ｍｌあたり５．８ｍｇの割合、前記カルシウムは１００ｍｌあたり０．０５ｍｇの割合、前記カリウムは１００ｍｌあたり０．０３ｍｇの割合がそれぞれ前記温泉水への含有量となっている。
【００３８】
このようなパーマ用第１剤のほかに、酸化作用を行うパーマ用第２剤を用いて、図２のようなプロセスにより、パーマネント処理、例えばパーマネントウェーブ処理が施される。
【００３９】
図２（ａ）は、パーマ用第１剤塗布前の毛髪１の結合組織の状態、（ｂ）はパーマ用第１剤を塗布した後の毛髪１の結合組織の状態、（ｃ）はワインディングにおける毛髪１の結合組織の状態、（ｄ）は中間リンス後、パーマ用第２剤を塗布して酸化させた後の毛髪１の結合組織の状態を示す模式図である。この図２では、最も強力な結合であるシスチン結合３を主に説明している。
【００４０】
図２（ａ）の毛髪１に対して、パーマ用第１剤を塗布すると、チオグリコール酸やシスティンがシスチン結合３を同図（ｂ）のように切断する。このときモノエタノールアミンなどのアルカリ剤によって毛髪１はその膨潤、還元が促進されることになる。
【００４１】
ここで、パーマ用第１剤は、前記温泉水が５〜８０重量％の割合で混入されているので、その温泉水の界面活性作用により毛髪の汚れや油分を除去すると共に表面張力が低下し、毛髪への浸透性が大幅に向上し、また還元作用等をも高めることができる。このため、所定成分としてのチオグリコール酸やシスティンが毛髪に入り込み易くなる。この結果、毛髪を膨潤させるためのモノエタノールアミン等の配合割合を少なくしても、前記のように毛髪への浸透性が向上し、還元作用等も高めることができ、全体としてパーマ用第１剤の還元作用を高めることが可能となる。
【００４２】
次いで、（ｃ）のように、ワインディングによってシスチン結合３を変性させる。このときロッドに巻けばパーマネントウェーブを施すことができ、毛髪を真っ直ぐに作用させればストレートパーマを施すことができる。
【００４３】
次に、中間リンス後、パーマ用第２剤を塗布して酸化させ、シスチン結合３を再結合させる。なお、パーマ用第２剤には、臭素酸塩や過酸化水素水などが用いられている。
【００４４】
上記のように本実施例のパーマ用第１剤では、混入された温泉水の界面活性作用により毛髪への浸透性、還元作用等を高めることができ、所定成分としてのチオグリコール酸、システィンが毛髪に入り込みやすくなり、毛髪を膨潤させるためのモノエタノールアミン等の配合割合を少なくしても、前記のように毛髪への浸透性、還元作用等を高めることができ、全体としてパーマ用第１剤の還元作用を高めることが可能となる。
【００４５】
結果的に、チオグリコール酸やモノエタノールアミン等の配合割合を少なくして、毛髪へのダメージを大幅に抑制しながら、温泉水の界面活性効果による浸透性向上、還元力向上等によってパーマネント処理を確実に行うことができる。
【００４６】
また、パーマ用第１剤では、温泉水の混入量が５〜８０重量％であるため、界面活性効果をより確実に得ることができ、毛髪への浸透作用をより高めることができる。
【００４７】
また、パーマ用第１剤では、温泉水にナトリウムが１００ｍｌあたり５．２９ｍｇの割合で、炭酸水素が１００ｍｌあたり５．８ｍｇの割合で、カルシウムが１００ｍｌあたり０．０５ｍｇの割合で、カリウムが１００ｍｌあたり０．０３ｍｇの割合で含有されているので、界面活性効果をより確実に得ることができ、毛髪への浸透作用をより高めることができる。
【００４８】
さらに、パーマ用第１剤では、温泉水のＰＨ値が７．５〜９．９の範囲内であるため、界面活性効果をより確実に得ることができ、毛髪への浸透作用をより高めることができる。
【実施例２】
【００４９】
本発明の実施例２では、毛髪調整剤として毛髪洗浄剤、いわゆるシャンプー剤が用いられている。すなわち、本実施例の毛髪調整剤は、所定成分を配合して毛髪の調整である洗浄をするためのシャンプー剤において、上記実施形態と同様に、界面活性効果のあるアルカリ性の水としての温泉水を混入したものである。ただし、温泉水は、上記実施形態と同様に５〜８０重量％の割合で混入されているが、その割合は任意であり後述するようにシャンプー剤の洗浄性向上を発揮する割合で混入される。
【００５０】
前記シャンプー剤は、精製水に所定成分を配合し上記のように温泉水を混入することにより生成されている。前記所定成分としては、例えば主な有効成分としてアルキル硫酸塩、アルキルエーテル硫酸塩、脂肪酸塩や両性界面活性剤等の界面活性剤が用いられている。これに加えて、前記所定成分には、増泡剤、乳濁剤等も用いられている。このシャンプー剤は界面活性剤の界面活性効果によって汚れを除去するものである。
【００５１】
このようなシャンプー剤では、毛髪への塗布、泡立てをすると、界面活性剤の界面活性効果により、毛髪の表面を濡らして毛髪と汚れとの境界の張力を低下させてその付着力をゆるめ、汚れを膨潤させて毛髪の表面からを引き離すことができる。その後、水等によるすすぎによって、シャンプー剤と共に汚れや油分を毛髪から除去し洗浄することができる。
【００５２】
ここで、前記シャンプー剤は、前記温泉水が５〜８０重量％の割合で混入されているので、その温泉水の界面活性作用によっても毛髪の汚れや油分を除去することができる。このため、所定成分としての界面活性剤等の配合割合を少なくしても、前記のように毛髪の洗浄性を向上することが可能となる。
【００５３】
結果的に、界面活性剤等の配合割合を少なくして毛髪のダメージを抑制しながら、温泉水の界面活性効果による洗浄性向上等によって毛髪の洗浄を確実に行うことができる。
【００５４】
また、シャンプー剤では、温泉水の混入量が５〜８０重量％であるため、界面活性効果をより確実に得ることができ、毛髪の洗浄作用をより高めることができる。
【００５５】
また、シャンプー剤では、温泉水にナトリウムが１００ｍｌあたり５．２９ｍｇの割合で、炭酸水素が１００ｍｌあたり５．８ｍｇの割合で、カルシウムが１００ｍｌあたり０．０５ｍｇの割合で、カリウムが１００ｍｌあたり０．０３ｍｇの割合で含有されているので、界面活性効果をより確実に得ることができ、毛髪の洗浄作用をより高めることができる。
【００５６】
さらに、シャンプー剤では、温泉水のＰＨ値が７．５〜９．９の範囲内であるため、界面活性効果をより確実に得ることができ、毛髪の洗浄作用をより高めることができる。
【実施例３】
【００５７】
本発明の実施例３では、毛髪調整剤としてトリートメント剤が用いられている。すなわち、本実施例の毛髪調整剤は、所定成分を配合して毛髪の調整である損傷毛の修復等を行うためのトリートメント剤において、上記実施形態と同様に、界面活性効果のあるアルカリ性の水としての温泉水を混入したものである。ただし、温泉水は、上記実施形態と同様に５〜８０重量％の割合で混入されているが、その割合は任意であり後述するようにトリートメント剤の浸透性向上を発揮する割合で混入される。
【００５８】
前記所定成分としては、例えば主な有効成分としてセタノール、ステアリン酸等の油性成分、カチオン界面活性剤、ポリペプタイド、プロピレングリコール、ピロリドンカルボン酸ナトリウム等の湿潤剤等が用いられている。
【００５９】
このようなトリートメント剤では、毛髪へ塗布すると、油分及び水分の不足している損傷毛に、油性成分により油分を補給すると共に湿潤剤により水分を補給する。さらに、ポリペプタイドにより損傷部分を補強し、カチオン界面活性剤とにより毛髪をしなやかにする。その後、水等でのすすぎによって、損傷毛の修復が終了する。ただし、水等でのすすぎを行わないトリートメント剤を用いることもできる。
【００６０】
ここで、前記トリートメント剤では、上記実施形態と同様に前記温泉水が混入されているので、その温泉水の界面活性作用によって毛髪の汚れ等を除去する共に表面張力が低下し、油性成分や湿潤剤等が毛髪へ入り込みやすくなりその浸透性が大幅に向上する。このため、所定成分としての等の配合割合を少なくしても、前記のように毛髪への浸透性を向上することが可能となる。
【００６１】
結果的に、油性成分や湿潤剤等の配合割合を少なくしながら、温泉水の界面活性効果による浸透性向上等によって損傷毛の修復等を確実に行うことができる。
【００６２】
また、トリートメント剤では、温泉水の混入量が５〜８０重量％であるため、界面活性効果をより確実に得ることができ、毛髪への浸透性をより高めることができる。
【００６３】
また、トリートメント剤では、温泉水にナトリウムが１００ｍｌあたり５．２９ｍｇの割合で、炭酸水素が１００ｍｌあたり５．８ｍｇの割合で、カルシウムが１００ｍｌあたり０．０５ｍｇの割合で、カリウムが１００ｍｌあたり０．０３ｍｇの割合で含有されているので、界面活性効果をより確実に得ることができ、毛髪への浸透性をより高めることができる。
【００６４】
さらに、トリートメント剤では、温泉水のＰＨ値が７．５〜９．９の範囲内であるため、界面活性効果をより確実に得ることができ、毛髪への浸透性をより高めることができる。
【実施例４】
【００６５】
本発明の実施例４では、毛髪調整剤として毛髪染色剤、いわゆるヘアカラーリング剤が用いられている。すなわち、本実施例の毛髪調整剤は、所定成分を配合して毛髪の調整である毛髪の染色をするためのヘアカラーリング剤において、上記実施形態と同様に、界面活性効果のあるアルカリ性の水としての温泉水を混入したものである。ただし、温泉水は、上記実施形態と同様に５〜８０重量％の割合で混入されているが、その割合は任意であり後述するようにヘアカラーリング剤の浸透性向上を発揮する割合で混入される。
【００６６】
前記所定成分としては、例えば、主な有効成分として染毛作用とブリーチ作用を持つ酸化染毛剤等が用いられている。この酸化染毛剤は、毛髪が本来持つ色より明るく染めることができることや色落ちを非常に少なくする点で優れているが、毛髪のアルカリによる膨潤や過酸化水素による毛髪組織の破壊により、毛髪へのダメージが大きいものである。
【００６７】
前記ヘアカラーリング剤では、毛髪へ塗布すると、染毛剤では酸化染料と過酸化水素が毛髪内部に浸透し、酸化染料が酸化重合して発色させる。
【００６８】
ここで、前記ヘアカラーリング剤では、上記実施形態と同様に前記温泉水が混入されているので、その温泉水の界面活性作用によって毛髪の汚れ等を除去する共に表面張力が低下し、酸化染料や過酸化水素等が毛髪へ入り込みやすくなりその浸透性等が大幅に向上する。このため、所定成分としての酸化染料や過酸化水素等の配合割合を少なくしても、前記のように毛髪への浸透性を向上することが可能となる。
【００６９】
結果的に、酸化染料や過酸化水素等の配合割合を少なくして毛髪へのダメージを大幅に抑制しながら、温泉水の界面活性効果による浸透性向上等によって、毛髪の染色を確実に行うことができ、且つ色素の定着性をも向上することができる。
【００７０】
また、ヘアカラーリング剤では、温泉水にナトリウムが１００ｍｌあたり５．２９ｍｇの割合で、炭酸水素が１００ｍｌあたり５．８ｍｇの割合で、カルシウムが１００ｍｌあたり０．０５ｍｇの割合で、カリウムが１００ｍｌあたり０．０３ｍｇの割合で含有されているので、界面活性効果をより確実に得ることができ、酸化染料等の毛髪への浸透性をより高めることができる。
【００７１】
さらに、ヘアカラーリング剤では、温泉水のＰＨ値が７．５〜９．９の範囲内であるため、界面活性効果をより確実に得ることができ、酸化染料等の毛髪への浸透性をより高めることができる。
【実施例５】
【００７２】
本発明の実施例５では、毛髪調整剤として整髪料が用いられている。すなわち、本実施例の毛髪調整剤は、所定成分を配合して毛髪の調整である整髪及びその保持等をするための整髪料において、上記実施形態と同様に、界面活性効果のあるアルカリ性の水としての温泉水を混入したものである。ただし、温泉水は、上記実施形態と同様に５〜８０重量％の割合で混入されているが、その割合は任意であり整髪料の種類に応じて整髪状態の保持可能な割合で混入される。
【００７３】
前記所定成分としては、例えば主な有効成分として被膜形成成分等が用いられ、さらに、添加剤としてカチオン性界面活性剤や高級アルコール類が用いられている。
【００７４】
前記整髪料では、毛髪へ塗布し整髪すると、被膜形成成分により整髪状態が保持される。
【００７５】
ここで、前記整髪料では、上記実施形態と同様に前記温泉水が混入されているので、その温泉水の界面活性作用によって毛髪の汚れ等を除去すると共に表面張力が低下し、毛髪へなじみ易く且つ定着し易くなり、整髪性及び整髪状態の保持力が向上する。このため、所定成分としての被膜形成成分等の配合割合を少なくしても、前記のように整髪性及び整髪状態の保持力を向上することが可能となる。
【００７６】
結果的に、被膜形成成分等の配合割合を少なくしながら、温泉水の界面活性効果による整髪性及び整髪状態の保持力向上等によって、整髪を確実に行うことができる。
【００７７】
また、整髪料では、温泉水にナトリウムが１００ｍｌあたり５．２９ｍｇの割合で、炭酸水素が１００ｍｌあたり５．８ｍｇの割合で、カルシウムが１００ｍｌあたり０．０５ｍｇの割合で、カリウムが１００ｍｌあたり０．０３ｍｇの割合で含有されているので、界面活性効果をより確実に得ることができ、整髪状態の保持力をより高めることができる。
【００７８】
さらに、整髪料では、温泉水のＰＨ値が７．５〜９．９の範囲内であるため、界面活性効果をより確実に得ることができ、整髪状態の保持力をより高めることができる。
【産業上の利用可能性】
【００７９】
パーマ用第１剤、毛髪洗浄剤、トリートメント剤、毛髪染色剤、整髪料等の毛髪に塗布等して毛髪を調整するための各種の毛髪調整剤に適用することができる。
【図面の簡単な説明】
【００８０】
【図１】毛髪の結合組織を示す模式図である（実施例１）。
【図２】毛髪のパーマネント処理を示し、（ａ）は毛髪のシスチン結合を示す模式図、（ｂ）はパーマ用第１剤によってシスチン結合を切断した状態の模式図、（ｃ）はシスチン結合変性の模式図、（ｄ）はシスチン結合酸化の模式図である（実施例１）。
【図３】温泉水の成分表である（実施例１〜５）。
【符号の説明】
【００８１】
１  毛髪
３  シスチン結合（結合組織）
５  水素結合（結合組織）
７  塩結合（結合組織）
【図１】
2005029530.tif 000003
【図２】
2005029530.tif 000004
【図３】
2005029530.tif 000005